(57)【要約】  光ディスク上に新たな記録を追加するためのリンクポジションを正確に決定する方法であって、先の記録のＨＦデータから抽出されたアドレス情報が、新たな記録のためのリンクポジションを決定するのにプレグルーブウォブルから求められるポジション情報と共に利用される。プレグルーブポジション情報は、プレグルーブウォブルの位相から求められ右、ＨＦデータアドレスはよりロウバストなシステムを提供するためフライホイールされるかもしれない。ドライブは、隣接する先に記録されたエリアのスタート及びエンドアドレスにより記録テーブルを格納及び更新し、格納された情報は、新たな記録のためのリンクポジションを決定するためプレグルーブから求められるポジション情報と共に利用される。
2008524768.tif 000002
【特許請求の範囲】
【請求項１】
先に記録されたデータを含む光ディスク上の新たな記録のためのポジションを決定する方法であって、
先に記録されたデータを読み込むステップと、
前記先に記録されたデータに基づき、前記新たな記録のためのポジションを決定するステップと、
を有する方法。
【請求項２】
前記ポジションは、少なくともセクタナンバーとフレームナンバーとを含む前記先に記録されたデータから抽出されるアドレス情報に基づく、請求項１記載の方法。
【請求項３】
前記ポジションは、カウンタから求められるバイトナンバーとビットナンバーとにさらに基づく、請求項２記載の方法。
【請求項４】
前記セクタナンバー、フレームナンバー、バイトナンバー及び／又はビットナンバーの１以上は、フライホイールされる、請求項２又は３記載の方法。
【請求項５】
前記新たな記録のためのポジションは、プレグルーブ情報に部分的に基づき、
前記先に記録されたデータは、粗いポジションを決定するのに使用され、
前記プレグルーブ情報は、詳細なポジションを決定するのに使用され、
前記新たな記録のためのポジションは、前記粗いポジションと前記詳細なポジションとに基づく、請求項１乃至４何れか一項記載の方法。
【請求項６】
前記詳細なポジションを決定するのに使用されるプレグルーブ情報は、前記プレグルーブウォブルの位相を有する、請求項５記載の方法。
【請求項７】
前記先に記録されたデータから抽出されるアドレス情報は、前記アドレス情報と前記プレグルーブ情報との間の乖離を決定するため、前記プレグルーブ情報と比較され、
前記乖離は、前記詳細なポジションを取得するため、前記粗いポジションを調整するのに使用される、請求項５又は６記載の方法。
【請求項８】
前記先に記録されたデータは、前記新たな記録のための所望のポジションの前方の所定のポジションにおいて粗いポジションを決定するのに使用され、
前記プレグルーブ情報は、前記所定のポジションの後のポイントにおいて前記詳細なポジションを規定するのに使用される、請求項５又は６記載の方法。
【請求項９】
前記所定のポジションは、前記新たな記録のための所望のポジションの前方の約１／２のウォブル期間である、請求項８記載の方法。
【請求項１０】
光ディスク上に新たな記録を行う方法であって、
前記新たな記録のための所望のスタートポジションを決定するステップと、
前記ディスク上の現在のポジションを位置決定するステップと、
前記現在のポジションと前記所望のスタートポジションとを比較し、該比較に基づき前記新たな記録を位置決定する位置決定ステップと、
を有し、
前記ディスク上の現在のポジションは、請求項１乃至９何れか一項記載の方法により決定される方法。
【請求項１１】
光ディスク上に新たな記録を行う方法であって、
前記光ディスクは、当該トラックに沿ってユーザデータを記録するトラックを有し、
前記トラックには、トラック変調が設けられ、
前記トラック変調は、前記トラックに沿ってポジションを決定するトラックアドレス情報を有し、
当該方法は、
前記新たな記録のための所望のスタートポジションを決定するステップと、
前記トラック変調からの前記トラックアドレス情報を使用して、前記新たな記録のためのポジションを決定するステップを有する、前記ディスク上に新たな記録を位置決定する第１ポジショニング方法と、
請求項１乃至９何れか一項記載の方法により決定される前記ディスク上の現在のポジションと前記所望のスタートポジションとを比較し、該比較に基づき前記新たな記録を位置決定するステップを有する、前記ディスク上に新たな記録を位置決定する第２ポジショニング方法と、
前記先に記録されたユーザデータが前記所望のスタートポジションの直前にあるか判断するチェックステップと、
前記チェックステップにおいて先に記録されたユーザデータが検出されない場合、前記第１ポジショニング方法に従って前記ディスク上の新たな記録を位置決定し、前記チェックステップにおいて先に記録されたユーザデータが検出された場合、前記第２ポジショニング方法に従って前記ディスク上の新たな記録を位置決定するステップと、
を有する方法。
【請求項１２】
光ディスク上に新たな記録を行う方法であって、
前記光ディスクは、当該トラックに沿ってユーザデータを記録するトラックを有し、
前記トラックには、トラック変調が設けられ、
前記トラック変調は、前記トラックに沿ってポジションを決定するトラックアドレス情報を有し、
当該方法は、
前記新たな記録のための所望のスタートポジションを決定するステップと、
隣接する記録されたユーザデータを有する記録されたディスクエリアのエンドアドレスに関する情報を記録するステップと、
前記記録された情報から前記記録されたディスクエリアのエンドアドレスを抽出するステップと、
前記トラック変調からの前記トラックアドレス情報を使用して、前記新たな記録のためのポジションを決定するステップを有する、前記ディスク上に新たな記録を位置決定する第１ポジショニング方法と、
を有し、
当該方法はさらに、
請求項１乃至９何れか一項記載の方法により決定される前記ディスク上の現在のポジションと前記所望のスタートポジションとを比較し、該比較に基づき前記新たな記録を位置決定するステップを有する、前記ディスク上に新たな記録を位置決定する第２ポジショニング方法と、
前記所望のスタートポジションが、前記記録されたディスクエリアの抽出されたエンドアドレスの何れかに一致するか判断する検証ステップと、
前記検証ステップにおいて一致が検出された場合、前記第２ポジショニング方法により前記新たな記録を位置決定するステップと、
前記検証ステップにおいて一致が検出されない場合、先に記録されたユーザデータが前記所望のスタートポジションの直前にあるか判断するチェックステップと、
前記チェックステップにおいて先に記録されたユーザデータが検出された場合、前記第２ポジショニング方法により前記新たな記録を位置決定するステップと、
前記チェックステップにおいて先に記録されたユーザデータが検出されない場合、前記第１ポジショニング方法により前記新たな記録を位置決定するステップと、
を有する方法。
【請求項１３】
光ディスク上に新たな記録を行う方法であって、
前記光ディスクは、当該トラックに沿ってユーザデータを記録するトラックを有し、
前記トラックには、トラック変調が設けられ、
前記トラック変調は、前記トラックに沿ってポジションを決定するトラックアドレス情報を有し、
当該方法は、
前記新たな記録のための所望のエンドポジションを決定するステップと、
隣接する記録されたユーザデータを有する記録されたディスクエリアのスタートアドレスに関する情報を記録するステップと、
前記記録された情報から前記記録されたディスクエリアのスタートアドレスを抽出するステップと、
前記トラック変調からの前記トラックアドレス情報を使用して、前記新たな記録のためのポジションを決定するステップを有する、前記ディスク上に新たな記録を位置決定する第１ポジショニング方法と、
を有し、
当該方法はさらに、
請求項１乃至９何れか一項記載の方法により決定される前記ディスク上の現在のポジションと前記所望のスタートポジションとを比較し、該比較に基づき前記新たな記録を位置決定するステップを有する、前記ディスク上に新たな記録を位置決定する第２ポジショニング方法と、
前記所望のエンドポジションが、前記記録されたディスクエリアの抽出されたスタートアドレスの何れかに一致するか判断する検証ステップと、
前記検証ステップにおいて一致が検出された場合、前記第２ポジショニング方法により前記新たな記録を位置決定するステップと、
前記検証ステップにおいて一致が検出されない場合、先に記録されたユーザデータが前記所望のスタートポジションの直前にあるか判断するチェックステップと、
前記チェックステップにおいて先に記録されたユーザデータが検出された場合、前記第２ポジショニング方法により前記新たな記録を位置決定するステップと、
前記チェックステップにおいて先に記録されたユーザデータが検出されない場合、前記第１ポジショニング方法により前記新たな記録を位置決定するステップと、
を有する方法。
【請求項１４】
隣接する記録されたユーザデータを有する前記記録されたディスクエリアのスタートアドレスとエンドアドレスとを有する記録テーブルを維持するステップを有する、請求項１２又は１３記載の方法。
【請求項１５】
新たな記録が行われた後に更新ステップを有し、
該更新ステップは、
前記エンドアドレスが前記新たな記録のスタートアドレスに一致する場合、記録されたディスクエリアのエンドアドレスに関する情報を前記新たな記録のエンドアドレスに関する情報と置換するステップと、
前記エンドアドレスが前記新たな記録のスタートアドレスに一致する場合、先に記録されたユーザデータを有する記録されたディスクエリアのスタートアドレスに関する情報を前記新たな記録のスタートアドレスに関する情報と置換するステップと、
第１の記録されたディスクエリアのエンドアドレスに関する情報を第２の記録されたディスクエリアのエンドアドレスと置換し、同時に前記第１の記録されたディスクエリアのエンドアドレスが前記新たな記録のスタートアドレスに一致し、前記第２の記録されたディスクエリアのスタートアドレスが前記新たな記録のエンドアドレスに一致する場合、前記第２の記録されたディスクエリアに関する情報を削除するステップと、
他のすべての場合、前記新たな記録のスタートアドレスとエンドアドレスとに関する情報を記録するステップと、
を有する方法。
【請求項１６】
光ディスクを記録する記録装置であって、
前記ディスク上に先に記録されたデータを読み込み、前記ディスク上に新たな記録を行う放射ビームと、
前記先に記録されたユーザデータの読み込みに基づき、前記新たな記録のためのポジションを決定する手段と、
を有する記録装置。
【請求項１７】
光ディスクを記録する記録装置であって、
前記ディスク上に先に記録されたデータを読み込み、前記ディスク上に新たな記録を行う放射ビームと、
前記先に記録されたデータからアドレス情報を抽出する手段と、
前記抽出されたアドレス情報に基づき、前記新たな記録のためのポジションを決定する手段と、
を有する記録装置。
【請求項１８】
前記アドレス情報を抽出する手段は、前記先に記録されたデータから少なくともセクタナンバーとフレームナンバーとを抽出する、請求項１７記載の記録装置。
【請求項１９】
前記新たな記録のためのポジションを決定する手段は、前記新たな記録のためのポジションのバイトナンバーとビットナンバーとを決定するカウンタを有する、請求項１８記載の記録装置。
【請求項２０】
前記新たな記録のためのポジションを決定する手段は、前記セクタナンバー、フレームナンバー、バイトナンバー及び／又はビットナンバーの１以上のためのフライホイールロジックを有する、請求項１８又は１９記載の記録装置。
【請求項２１】
当該装置は、プレグルーブポジション情報を読み込む手段を有し、
前記新たな記録のためのポジションを決定する手段は、前記先に記録されたデータから抽出されるアドレス情報に基づき粗いポジションを決定し、前記プレグルーブポジション情報に基づき詳細なポジションを決定する、請求項１６乃至２０何れか一項記載の記録装置。
【請求項２２】
前記新たな記録のためのポジションを決定する手段は、前記プレグルーブウォブルの位相を使用して前記詳細なポジションを決定する、請求項２１記載の記録装置。
【請求項２３】
前記新たな記録のためのポジションを決定する手段は、前記詳細なポジションを取得するために前記粗いポジションを調整するため、前記アドレス情報と前記プレグルーブ情報との間の乖離を決定するために、前記先に記録されたデータから抽出されるアドレス情報を前記プレグルーブポジション情報と比較する、請求項２１又は２２記載の記録装置。
【請求項２４】
前記新たな記録のためのポジションを決定する手段は、前記新たな記録のための所望のポジションの前方の所定のポジションにおいて粗いポジションを決定する、請求項２１又は２２記載の記録装置。
【請求項２５】
前記所定のポジションは、前記新たな記録のための所望のポジションの前方の約１／２のウォブル期間である、請求項２４記載の記録装置。
【請求項２６】
前記所定のポジションは、前記新たな記録のための所望のポジションの前方の約１／２のウォブル期間である、請求項２５記載の記録装置。
【請求項２７】
前記新たな記録のための所望のスタートポジションを決定する手段と、
前記ディスク上の現在のポジションを位置決定する手段と、
前記現在のポジションと前記所望のスタートポジションとを比較する比較手段と、
該比較に基づき、前記新たな記録を位置決定する手段と、
を有する、請求項１乃至２６何れか一項記載の記録装置。
【請求項２８】
光ディスク上に新たな記録を行う請求項１６乃至２７何れか一項記載の記録装置であって、
前記光ディスクは、当該トラックに沿ってユーザデータを記録するトラックを有し、
前記トラックには、トラック変調が設けられ、
前記トラック変調は、前記トラックに沿ってポジションを決定するトラックアドレス情報を有し、
当該記録装置は、
新たな記録のための所望のスタートポジションを決定する決定手段と、
前記トラック変調からのトラックアドレス情報に基づき、前記新たな記録を位置決定する手段を有する、前記ディスク上の新たな記録を位置決定する第１ポジショニング手段と、
を有し、
当該記録装置はさらに、
前記ディスク上の現在のポジションを決定する配置手段と、
前記現在のポジションを前記所望のスタートポジションと比較する比較手段と、
前記現在のポジションを前記所望のスタートポジションとの比較に基づき、前記新たな記録を位置決定する手段を有する、前記新たな記録を位置決定する第２ポジショニング手段と、
先に記録されたユーザデータが前記所望のスタートチェックポジションに先行するかチェックするチェック手段と、
先に記録されたユーザデータが前記チェック手段により検出されない場合は前記第１ポジショニング手段を、また先に記録されたユーザデータが前記チェック手段により検出される場合は前記第２ポジショニング手段を選択する選択手段と、
を有する記録装置。
【請求項２９】
隣接して記録されるユーザデータを有する記録されたディスクエリアのエンドアドレスに関する情報を記録する記録手段と、
前記記録された情報から前記記録されたディスクエリアのエンドアドレスを抽出する抽出手段と、
前記所望のスタートポジションが前記記録されたディスクエリアの何れかのエンドアドレスに一致するか比較するアドレス比較手段と、
前記アドレス比較手段により一致が検出される場合は前記第１ポジショニング手段を選択し、前記アドレス比較手段により一致が検出されない場合、前記チェック手段と前記新たな記録を位置決定する選択手段とを選択する第２選択手段と、
を有する、請求項２８記載の記録装置。
【請求項３０】
前記新たな記録のための所望のエンドポジションを決定する決定手段と、
隣接して記録されたユーザデータを含む記録されたディスクエリアのスタートアドレスに関する情報を記録する記録手段と、
記録された情報から前記記録されたディスクエリアのスタートアドレスを抽出する抽出手段と、
前記所望のエンドポジションが前記記録されたディスクエリアのエンドアドレスの何れかに一致するか比較するアドレス比較手段と、
前記アドレス比較手段により一致が検出される場合は前記第１ポジショニング手段を選択し、前記アドレス比較手段により一致が検出されない場合、前記チェック手段と前記新たな記録を位置決定する選択手段とを選択する第２選択手段と、
を有する、請求項２８記載の記録装置。
【請求項３１】
前記記録されたディスクエリアに関する記録された情報は、前記光ディスクの先に記録されたエリアのスタートアドレスとエンドアドレスとを有する記録テーブルを有する、請求項２９又は３０記載の記録装置。
【請求項３２】
請求項２８乃至３０何れか一項記載の記録装置であって、
当該記録装置は、新たな記録が行われる場合、前記格納された情報を更新する手段を有し、
前記更新する手段は、
前記エンドアドレスが前記新たな記録のスタートアドレスに一致する場合、記録されたディスクエリアのエンドアドレスに関する情報を前記新たな記録のエンドアドレスに関する情報と置換する手段と、
スタートアドレスが前記新たな記録のエンドアドレスに一致する場合、記録されたディスクエリアのスタートアドレスに関する情報を前記新たな記録のスタートアドレスに関する情報と置換する手段と、
第１の記録されたディスクエリアのエンドアドレスが、前記新たな記録のスタートアドレスに一致し、第２の記録されたディスクエリアのスタートアドレスが、前記新たな記録のエンドアドレスに一致する場合、前記第１の記録されたディスクエリアのエンドアドレスに関する情報を前記第２の記録されたディスクエリアのエンドアドレスに関する情報と置換し、前記第２の記録されたディスクエリアに関する情報を削除する手段と、
他のすべての場合、前記新たな記録のスタートアドレスとエンドアドレスとに関する情報を記録する手段と、
を有する記録装置。
【発明の詳細な説明】
【技術分野】
【０００１】
本発明は、一般に光ディスク上にデータを記録することに関し、より詳細には、以前に記録されたデータを含む光ディスク上の新たな記録のためのポジションを決定することに関する。
【背景技術】
【０００２】
記録可能な光ディスクは、一般にディスクにデータを記録するため記録装置により使用される放射ビームを誘導するのに使用されるプレグルーブ（ｐｒｅ−ｇｒｏｏｖｅ）と呼ばれるディスク上の予め形成されたスパイラル上の溝を含む。プレグルーブは、ディスクの回転速度を制御し、記録のビットレートを決定する記録に使用されるクロックの周波数を決定するため記録装置によって使用される特定の周波数の正弦波ウォブルによってディスク上に予め形成される。
【０００３】
プレグルーブにはまた、ディスクの読み出し及び書き込みのためのナビゲーションに使用され、ディスクメディアタイプに関する情報及び他のデータを抽出するのに使用される付加情報が含まれているかもしれない。この付加情報は、ナビゲーションのためのアドレス又はポジションを含み、ＦＭ変調（ＣＤ−Ｒ及びＣＤ−ＲＷディスクについて）又は位相変調（ＤＶＤ＋Ｒ及びＤＶＤ＋ＲＷディスクについて）を利用する変調されたウォブル周波数によりプレグルーブを予め形成することによって、ディスク上に符号化されるかもしれない。ＤＶＤ−Ｒ及びＤＶＤ−ＲＷディスクについては、プレグルーブウォブル周波数は変調されず、アドレス／ポジション上方は、いわゆるプレグルーブＬａｎｄ  Ｐｒｅ−Ｐｉｔｓ（ＬＰＰ’ｓ）を利用することによって提供される。ＬＰＰ’ｓは、プレグルーブのスパイラルな溝の間のランド部分に予め形成されるピットである。
【０００４】
空のディスクに最初の記録がされるとき、このプレグルーブアドレッシング情報が、記録をするため記録装置の放射ビームを位置決定するのに使用される。以降の記録が行われるとき、次のデータ記録を開始すべき以前に記録されたデータのエンドにおけるスパイラルプレグルーブの“リンクポジション”を決定することが望ましい。
【０００５】
ＤＶＤ−Ｒ及びＤＶＤ−ＲＷディスクにこのような以降の記録を行うとき、問題が生じうる。このようなディスクにすでに記録がされているとき、新たな記録がされるべきディスク上のポジションに隣接する以前に記録されたデータ（高周波数（ＨＦ）データ又はＥＦＭ＋データと呼ばれる）が、ディスクからデータを読み出すのに使用されるプッシュ・プル信号のクロストーク及び変調によってＬＰＰ’ｓの検出と干渉する可能性がある。記録装置がその放射ビームがディスク上の何れに位置決定されるか正確に決定することが可能となるように、ＬＰＰ’ｓがナビゲーションのため記録装置によって利用される。ＬＰＰ’ｓが検出できないとき、記録装置は、ディスク上でそれの現在のポジションを確実に特定することができず、このため、新たな記録が開始されるべきリンクポジションを正確に決定することができない。これは、新たなデータ記録を正確に位置決定することを困難にする。
【０００６】
ＥＰ１２２７４９１は、当該装置がＬＰＰ’ｓの読み込みが困難であるときでさえ、データを記録することが可能な記録装置について記載している。当該装置は、ＬＰＰ検出回路を有し、ＬＰＰが検出される毎にブロック信号を生成する。当該装置はまた、ＬＰＰの検出がミスされたときでさえ、ブロック信号を生成することが可能となるように、基準クロック信号をＬＰＰ検出回路の出力に同期する位相同期ループを有する。しかしながら、十分なＬＰＰ’ｓの検出が依然として、ブロック信号を確実に生成するのに要求される。
【発明の開示】
【発明が解決しようとする課題】
【０００７】
本発明の課題は、ＬＬＰアドレス情報に依存することを回避しながら、新たな記録のためのポジションを決定すると共に、この新たな記録のポジションとＬＰＰ’ｓに符号化されたエンボスされたアドレス／ポジション情報との間の正確な位置合わせを維持する方法を提供することである。
【課題を解決するための手段】
【０００８】
本発明によると、先に記録されたデータを含む光ディスク上の新たな記録に対するポジションが、先に記録されたデータを読み込み、先に記録されたデータに基づき新たな記録のためのポジションを決定することによって決定される。記録されたＨＦ（ユーザ）データは、ＬＰＰ’ｓと同一タイプのアドレス情報を同一位置に含み、このアドレス情報は、先に記録されたＨＦデータから抽出され、新たな記録を行うための放射ビームを位置決定するのに利用されるかもしれない。新たな記録のためのポジションは、カウンタから求められた少なくともセクタナンバー、フレームナンバー及びバイトナンバーを含む先に記録されたデータから抽出されるアドレス情報に基づくものであってもよく、さらにカウンタから求められるビットナンバーに基づくものであってもよい。フライホイールロジックが、セクタナンバー、フレームナンバー、バイトナンバー及び／又はビットナンバーの１以上について使用されてもよい。
【０００９】
ＬＰＰアドレス情報でなくＨＦデータがリンクポジションを決定するのに使用されるとき、ＬＰＰアドレス情報と追加される記録のスタートポジションとの間には直接的なリンクはない。このことは、ディスク上のプレグルーブと記録されたデータとの間の一合わせが保証できないことを意味する。さらに、後の各記録のスタートポジションが先の記録のポジションに依拠するため、記録を位置決定する際のエラーが累積されることとなる。
【００１０】
記録系列のポジショニングにおけるエラーを累積を回避するため、新たな記録のためのポジションは、好ましくは、プレグルーブ情報に部分的に基づく。これは、ＬＰＰポジション情報に依拠することを回避しながら、新たな記録を追加するためのリンクポジションを正確に決定するため、ＨＦデータからのアドレス情報と共にプレグルーブポジション情報を利用することによって実現可能である。新たな記録のためのポジションは、粗いポジションと詳細なポジションとに基づくものであってもよく、先に記録されたＨＦデータが粗いポジションを決定するのに使用され、プレグルーブ情報が詳細なポジションを決定するのに使用される。
【００１１】
プレグルーブウォブルの位相は、好ましくは、新たな記録のための詳細なポジションを決定するのに使用される。プレグルーブウォブルの位相は、ディスクから正確に抽出可能であり、さらに、ＨＦデータと共に記録されたディスクの部分からでさえ抽出可能である。この位相情報は、その後、次の記録のためのスタートポジションを正確に決定するため、考慮することが可能である。先に記録されたデータから抽出されるアドレス情報は、プレグルーブ情報と先に記録されたＨＦデータからのアドレス情報との間の乖離を決定するため、プレグルーブウォブル位相情報と比較されてもよい。この乖離は、先に記録されたＨＦデータの位置決定の際のエラーを表し、この乖離は、詳細なポジションを取得するため粗いポジションを調整するのに利用可能である。あるいは、先に記録されたデータは、新たな記録のための所望のポジションの前方の所定のポジション（例えば、約１／２のウォブル期間など）において粗いポジションを決定するのに利用可能であり、その後、プレグルーブウォブル位相情報は、新たな記録のための詳細なポジションを規定するのに使用される。
【００１２】
本発明はまた、光ディスク上に新たな記録を行う方法であって、新たな記録のための所望のスタートポジションを決定するステップと、ディスク上の現在のポジションを決定するステップと、現在のポジションと所望のスタートポジションとを比較するステップと、該比較に基づき新たな記録を位置決定するステップとを有し、ディスク上の現在のポジションは上述した方法（ＨＦデータポジショニング方法）により決定される方法を含む。
【００１３】
本発明はまた、請求項１１のプリアンブルによる光ディスク上に記録を行う方法に関する。本方法は、先に記録されたユーザデータが所望のスタートポジションの直前にあるか判断し、先に記録されたユーザデータが検出された場合、ＨＦデータポジショニング方法により新たな記録を位置決定するチェックステップを有する。先に記録されたユーザデータが検出されない場合、位置決定は、トラック変調抽出されたトラックアドレス情報に基づく（ＬＰＰアドレスポジショニング）。当該方法は、エンプティディスクと部分的に記録されたディスクの両方の確実な記録を可能にする。
【００１４】
光ディスク上に記録を行うさらなる方法は、請求項１２及び１３に規定されている。先のユーザデータが所望のスタートポジションの直前のディスク上の領域に記録されたかチェックする手順は、実行するのに時間がかかるものであり、記録装置の全体的な記録パフォーマンスを低減する。当該方法によると、隣接する先に記録されたユーザデータを有する記録されたディスクエリアのスタート及びエンドアドレスに関する情報が記録され、新たな記録のための所望のスタート及びエンドポジションが決定される。検証ステップでは、所望のスタートポジションが記録されたディスクエリアのエンドアドレスの何れかに一致するか、又は所望のエンドポジションが記録されたディスクエリアのスタートアドレスの何れに一致するか検証される。一致が検出される場合、先のユーザデータをチェックすることなく、新たな記録がＨＦデータポジショニング方法に従って直接的に位置決定される。一致が検出されない場合、先に記録されたデータが所望のスタート又はエンドポジションの直前又は直後にあるかチェックされ、これに応じて、ポジショニング方法が選択される。先のユーザデータが所望のスタートポジションの直前のディスク上の領域に記録されたかチェックする手順は、実行するのに時間がかかり、記録装置の全体的な記録パフォーマンスを低減する。従って、検証ステップを利用することによって、通常の大部分の新たな記録は先の記録の直後に追加されるため、チェック手順の利用はほとんどのケースで回避されるかもしれない。
【００１５】
請求項１５に規定されるように、新たな記録が行われた後、記録されたディスクエリアのスタート及びエンドアドレスに関する記録された情報が更新されてもよい。更新された情報を維持することによって、検証ステップにおいて一致が検出される確率は増加し、これにより、全体的な記録パフォーマンスが増大する。
【００１６】
本発明はまた、光ディスクを記録する記録装置であって、ディスク上に先に記録されたデータを読み込み、ディスク上に新たな記録を行う放射ビームと、先に記録されたデータからアドレス情報を抽出する手段と、抽出されたアドレス情報に基づき新たな記録のためのポジションを決定する手段とを有する記録装置を含む。アドレス情報を抽出する手段は、好ましくは、先に記録されたデータから少なくともセクタナンバーとフレームナンバーとを抽出し、新たな記録のためのポジションを決定する手段は、好ましくは、新たな記録のためのポジションのバイト及びビットナンバーを決定するカウンタと、セクタナンバー、フレームナンバー、バイトナンバー及び／又はビットナンバーのためのフライホイールロジックとを有する。
【００１７】
記録装置は、好ましくは、プレグルーブポジション情報を読み込む手段を有し、新たな記録のためのポジションを決定する手段は、好ましくは、先に記録されたデータから抽出されるアドレス情報に基づき、粗いポジションを決定し、プレグルーブポジション情報に基づき詳細なポジションを決定する。新たな記録のためのポジションを決定する手段は、好ましくは、プレグルーブウォブルの位相を使用して詳細なポジションを決定する。
【００１８】
実施例では、新たな記録のためのポジションを決定する手段は、詳細なポジションを取得するために荒いポジションを調整するためのアドレス情報とプレグルーブ情報との間の乖離を決定するため、先に記録されたデータから抽出されるアドレス情報とプレグルーブポジション情報と比較する。あるいは、新たな記録のためのポジションを決定する手段は、新たな記録のための所望のポジションの前方の所定のポジション（例えば、約１／２のウォブル期間など）において粗いポジションを決定する。
【００１９】
請求項１６において、記録装置の効果的な実施例が規定される。記録装置はまた、先に記録されたユーザデータが所望のスタートポジションの直前にあるかチェックする手段と、先に記録されたユーザデータが検出された場合、新たな記録を位置決定するＨＦデータポジショニング方法を選択する選択手段とを有する。先に記録されたユーザデータが検出されない場合、選択手段は、ＬＰＰアドレスポジショニング方法を選択する。当該記録装置は、エンプティ及び部分的に記録されたディスクの両方を確実に記録する。
【００２０】
請求項１７及び１８において、記録装置のさらなる実施例が規定される。本装置は、隣接する先に記録されたユーザデータを有する記録されたディスクエリアのスタート及びエンドアドレスに関する情報を記録する手段と、新たな記録のための所望のスタート及びエンドポジションを決定する手段とを有する。本装置はまた、所望のスタートポジションが記録されたディスクエリアのエンドアドレスの何れかに一致しているか、又は所望のエンドポジションが記録されたディスクエリアのスタートアドレスの何れかに一致しているか検証する検証手段を有する。本装置はまた、一致が検出された場合、ＨＦポジショニング方法を選択する選択手段を有する。一致が検出されない場合、選択手段は、ポジショニング方法を選択するため、チェック手段と選択手段とを選択するようにしてもよい。
【００２１】
さらなる実施例では、新たな記録が行われた後、記録されたディスクエリアのスタート及びエンドアドレスに関する記録された情報が、請求項１５により更新される。更新された情報を維持することによって、検証ステップにおいて一致が検出される確率は増加し、このため、全体的な記録パフォーマンスは増加する。
【００２２】
本発明は、プレグルーブと新たな記録されたデータとの間の正確な位置合わせを維持しながら、新たな記録を追加するとき、先に記録されたディスクのエリアのＬＰＰアドレス情報を読み込むことに依拠することを不要にする。このため、本発明は、新たな記録のスタートポジションをＬＰＰ情報でなく先に記録されたＨＦデータに基づかせることによって、ディスクの記録された部分からＬＰＰ情報を読み込む際の信頼性の問題を回避する。新たなＨＦデータの記録とプレグルーブとの間の正確な関係はさらに、プレグルーブポジション情報と共に先に記録されたＨＦデータを利用することによってさらに保証することが可能である。
【００２３】
本発明の上記及び他の特徴は、以降に記載される実施例を参照して明らかとなるであろう。
【発明を実施するための最良の形態】
【００２４】
ＤＶＤディスクに記録されるＨＦ  ＥＦＭ＋データは、ＨＦデータがあるディスク上のポジションを示すアドレス情報を求めるのに利用可能である。このアドレス情報のフォーマットは、ＤＶＤの仕様により規定され、一般には以下の要素を有する（しかしながら、本発明が異なるフォーマットを有するアドレス情報に適用可能であるということに留意すべきである）。
（ａ）各ＤＶＤセクタのヘッダフィールドにあるセクタナンバー
（ｂ）０〜２５の範囲のセクタ内のシンクフレームナンバー
（ｃ）通常は０〜９１の範囲のシンクフレーム内のバイトナンバー（この番号付けは任意的なものであるが、バイト９１はＥＦＭ＋シンクバイトであり、他の番号付けも利用可能である。）
（ｄ）データバイトについて０〜１５の範囲であり、ＥＦＭ＋シンクバイトについて０〜３１の範囲であるバイト内のビットナンバー
このアドレス情報は、それがディスクをスキャンするとき、記録装置によって記録されたＨＦデータから抽出可能である。従って、プレグルーブアドレス情報の代わりに、ディスクに先に記録されたＨＦデータが、記録装置によってスキャンされたディスクの現在位置を決定するのに利用されるかもしれない。先の記録のエンドにおいて新たな記録をするため、記録装置はまず、先の記録が終了した位置を決定する。この情報は、記録装置のメモリに格納されてもよく（記録装置が先の記録をした場合）、又はディスクのリードインエリアに記録されているコンテンツの一時的なテーブルから利用可能とされてもよく、又はディスクをスキャンし、先に記録されたＨＦデータのエンドを決定することによって検出することが可能である（例えば、読まれた信号の振幅をチェックすることによって）。その後、記録装置は、新たな記録がスタートすべきリンクポジションを決定する。
【００２５】
先の記録から求められるアドレスデータは、所望のスタートポジションにいつ到達するか決定するのに利用することが可能である。ＨＦデータの各セクタは、２６個の均等なサイズのフレームに分割され、各フレームはシンクバイトからスタートする。８つの異なるタイプのフレームシンクバイト（ＳＹ０〜ＳＹ７）があり、フレームナンバーが、先の／後のタイプと共に現在のタイプを検出することによって求めることが可能である。各フレームは、９１バイト（各々８バイトの）とシンクバイトを含む。カウンタを利用して、フレームとのバイトナンバー及びビットナンバーオフセットが決定される。これらのアドレスカウンタは、好ましくは、ＨＦデータストリームのＨＦデータビットにロックされた位相同期ループ（ＰＬＬ）によって決定されるかもしれないＨＦデータ（ＥＦＭ＋）ビットレートのスピードによりカウントする。システムをよりロウバストにするため、アドレスの１以上の要素が、好ましくは、ＨＦデータからのビットが読み込みを終了したときでさえ、ＨＦデータビットレートによりアドレスをインクリメントし続けるフライホイールロジックによって保護される。これは、ＨＦデータ信号が一時的に読み込み不可になった場合（例えば、先のデータ記録又はディスクの欠陥により）、又は新たな記録の所望のリンクポジションが先の記録の終了直後でない場合、アドレスカウンタがインクリメントを続けることを保証するが、小さな記録されていないギャップがこれら２つの記録の間に残ってしまう。
【００２６】
図１は、ＨＦデータから生成されるフライホイールアドレスの一例を示す。先の記録から抽出されるＨＦデータアドレス情報１０は、記録終了時においてセクタＸの各フレームについてシンクバイトＳＹ０、ＳＹ５、ＳＹ１及びＳＹ５を含む。従って、セクタナンバーフライホイール１１はセクタＸを示し、フレームナンバーフライホイール１２は、各シンクバイトと一致するフレームナンバーをインクリメントする。バイトナンバーフライホイール１３は、各フレーム内のバイトナンバーをインクリメントし、ビットナンバーフライホイール１４は、各バイト内のビットナンバーをインクリメントする。フライホイールアドレスが所望のスタートポジション１５に等しいとき、新たな記録がスタートする。図１において、これは、フライホイールアドレスがセクタｘ、フレーム３、バイト９０、ビット３に等しいとき、破線の矢印１６によって示される。
【００２７】
記録装置の放射ビームがディスク上の特定位置に位置決定することが可能な精度は有限であることに留意すべきである。先の記録に対する及び／又はプレグルーブウォブルに対する記録の実際のポジションは、常に数チャネルビット、すなわち、Ｎビットの大きさのオーダーを有するであろう。記録のためのスタートポジションが、プレグルーブから求められるアドレス情報に対して決定される場合、新たな各記録のスタートポジションは常に同一のリファレンス（すなわち、プレグルーブ）からスタートし、新たな各記録を位置決定するエラーは、蓄積されない。
【００２８】
先の記録からのＨＦデータアドレス情報のみしか、新たな各記録についてスタートポジションを決定するのに使用されない場合、各記録を位置決定するエラーは、先の各記録を位置決定するエラーを含むこととなる。例えば、第２の記録スタートポジションは、２×Ｎのワーストケースのトータルエラーを有し、第３のものは３×Ｎとなり、以下同様となる。これを回避するため、プレグルーブから復号化されるアドレス／ポジション情報など、先の記録から独立したアドレス／ポジション情報が使用されてもよい。このように、先の記録から読み出されるＨＦアドレスデータは、新たな記録についてポジションを粗く決定するのに利用可能であり、プレグルーブから復号化されたポジション情報は、新たな記録についてポジションを詳細に決定するのに利用可能である。
【００２９】
これを実現する１つの方法は、プレグルーブＬＰＰ’ｓと先に記録されたＨＦデータのポジションとの間の乖離を測定するということである。図２において、記録されたＨＦデータとプレグルーブＬＰＰ’ｓとの間の関係が示される。図２は、ＬＰＰ２１のポジションとプレグルーブウォブル２０の正弦波の変化の相対ポジションを示す。ＨＦデータ２２のフレームシンクバイトのＴ１４ピットとＬＰＰ（ＬＰＰ２１ａとして示される）の拡大された画像がまた示される。あるいは、ＨＦデータのシンクバイトのＴ１４ランドは、２３として示される。Ｔ１４ピット／ランドは、１４の同一ビット（０又は１）のランを有し、記録されたＨＦデータのフレームシンクバイトにおいてのみ出現するピット又はランドである。図２に示されるように、ＬＰＰ２１／２１ａがＴ１４ランド／ピットの中間と一致するように、ＨＦデータのシンクバイトとプレグルーブＬＰＰ’ｓは位置合わせされる。これは、ＤＶＤ−Ｒ（Ｗ）の仕様によって規定される要件である。
【００３０】
従って、プレグルーブＬＰＰ’ｓと記録されたＨＦデータのフレームシンクバイトとの間の乖離は、先に記録されたＨＦデータのポジションに関するエラーを表すこととなる。この乖離は、粗いポジションから乖離量を加算又は減算することによって、新たな記録に対する詳細なポジションを取得するため、新たな記録について粗いポジションを訂正するのに利用可能である。これは、新たな記録についてのポジションがプレグルーブ情報のみに基づくものである場合に実現されるものと同程度の精度のポジションを実現し、エラーの蓄積を回避するため、先の記録のポジションに関するエラーの効果を取り除き、プレグルーブに対して新たな記録のスタートポジションをリセットすることとなる。記録装置は、ある期間において先に記録されたＨＦデータを読み込み、平均的な乖離を決定するため、フレームシンクバイトポジションとＬＰＰポジションとを比較することが可能である。ＬＰＰ’ｓの一部は先に記録されたＨＦデータからの干渉により読み出すことができないかもしれないが、ＨＦデータの大部分に対して上記比較を実行することは、この問題を最小限のものにする。
【００３１】
あるいは、ＬＰＰ’ｓを利用する代わりに、プレグルーブウォブルの位相が、新たな記録について詳細なポジションを決定するのに利用されてもよい。これは、ウォブル位相が、ＨＦデータによりすでに記録されたディスクの部分においてさえ確実に検出可能なタイプのポジション情報であるという効果を有する。図２を再び参照するに、ＬＰＰ２１／２１ａが、プラス若しくはマイナス１０°の精度でウォブル信号のゼロクロッシング２５から位相ポジション９０°におけるウォブル信号２０の負のピークと一致するように、プレグルーブウォブル２０とＬＰＰ２１／２１ａが位置合わせされることが確認できる。Ｔ１４ランド／ピットの中間がＬＰＰ２１／２１ａと位置合わせされるため、これは、Ｔ１４ランド／ピットの中間が位相ポジション９０°のプラス若しくはマイナス１０°におけるウォブルの負のピークに下降することを意味する。
【００３２】
プレグルーブウォブル期間は、ＨＦデータビットレートにより１８６ビットの長さに対応し、このため、プレグルーブウォブルとＴ１４ランド／ピットの中間との間の所望の位相関係は、プレグルーブウォブルのゼロクロッシングなどの特徴に関連してビットにより表すことができる。上記を考慮すると、Ｔ１４ランド／ピットの中間は、プレグルーブウォブルのゼロクロッシングから離れた［（９０°−１０°）／３６０°×１８６ビット］と［（９０°＋１０°）／３６０°×１８６ビット］との間に、すなわち、ゼロクロッシングから４１ビットと５１ビットとの間にあるべきである。上述した先の記録のポジショニングにおけるＮビットエラーが考慮されると、Ｔ１４ランド／ピットの中間は、プレグルーブウォブルのゼロクロッシングから離れた（４１−Ｎ）ビットと（５１＋Ｎ）ビットとの間にある。
【００３３】
プレグルーブウォブルのゼロクロッシングの予想されるポジションとＴ１４ランド／ピットポジションとの間の上記関係は、先に記録されたＨＦデータのポジションに関するエラーを決定するのに利用することが可能である。Ｔ１４ピット／ランドが検出される時点において測定されたウォブル位相と予想されるウォブル位相との間の乖離は、先に記録されたＨＦデータのポジションに関するエラーを表し、この乖離は、新たな記録について詳細なポジションを取得するため、新たな記録に対する粗いポジションを訂正するのに利用することが可能である。
【００３４】
記録装置は、ある期間における先に記録されたＨＦデータを読み出すことが可能であり、ウォブル位相のゼロクロッシングポジションとフレームシンクバイトポジションとの間の距離を測定することが可能である。前の方法と同様に、測定された距離と予想される距離との間の乖離は、粗いポジションからの乖離量を加算又は減算することによって、詳細なポジションを取得するため粗いポジションを調整するための訂正として利用することが可能である。
【００３５】
他の代替は、上記メカニズムが異なる方法により実現されることを可能にする。新たな記録のスタートポジションは、上述されるように先の記録のＨＦデータに基づき決定されてもよいが、実際に所望されるスタートポジションの前方の１／２のウォブル期間となるスタートアドレスが選択される。これは、粗いポジションとして使用される。例えば、ＤＶＤ−Ｒディスクについて、スタートアドレスは、実際に所望されるスタートポジション前の９３ＥＦＭ＋ビットとして計算される。その後、プレグルーブウォブルの位相は、スタートポジションの正確な位置を規定する詳細なポジションを決定するのに使用される。上記方法と同様に、粗いポジションと詳細なポジションの組み合わせは、記録されたＨＦデータのポジションをプレグルーブウォブル位相とリンクし、各ＨＦデータの記録のポジショニングにおけるエラーの蓄積を防ぐこととなる。
【００３６】
図３は、この第３の代替的方法による新たな記録を追記すべきリンクポジションを決定する一例を示す。図３は、ＬＰＰ’ｓ３８を有するプレグルーブウォブル３０と、プレグルーブウォブルの位相を示す位相カウント３１とを示す。位相カウント３１は、ウォブル周波数にロックされ、プレグルーブウォブルの１期間において０から１８５ビットまでインクリメントする、すなわち、ＨＦデータストリームのビットレートによりインクリメントする位相同期ループ（ＰＬＬ）により生成されるかもしれない。ＨＦ  ＥＦＭ＋データストリーム３２は、ＥＣＣブロックＮの始めにフレームシンクバイト３３を有する。シンクバイトのＴ１４ピット／ランドの中間は、破線３４により示される。この中間点３４は、図３に示されるように、シンクバイトの最上位ビットから２０ビットと、シンクバイトの最下位ビットから１２ビットの地点にある。上述されたように、この中間点３４は、フレームの第１ＬＰＰ３８に一致するプレグルーブウォブル波形（図３において正のピークとして示される）のピークと一致する。
【００３７】
新たな記録をするため記録装置の放射ビームを位置決定するため、新たな記録について所望のスタートポジション３５が生成される。図３に示される例は、所望のスタートポジションを決定するため、ＤＶＤ−Ｒ（Ｗ）仕様における要求に基づくものである。ＤＶＤ−Ｒ（Ｗ）仕様は、当該フレームのシンクバイトの後の１６番目のバイト（プラス又はマイナス１バイト）の後に、ＥＣＣブロックの第１セクタの第１フレームに２つの記録の間のリンクポイントが配置されることを要求する。従って、この要求によるＥＣＣブロックＮの新たな記録のためのスタートアドレスは、セクタＸ、フレーム０、バイト１６、ビット０である。このアドレスは、先に記録されたＨＦデータのアドレス情報のみに依拠することによって決定することができる。しかしながら、本発明の一実施例では、位相カウント３１は、スタートポジションのより正確な決定を行うのに利用されてもよい。
【００３８】
本実施例では、ＨＦデータアドレスは、粗いポジション指標として利用され、位相カウント３１は、新たな記録をスタートするためのリンクポジション３５をより正確に示すのに使用される。図３において、リンクポジション３５は、シンクバイト３３の後の１６番目のバイトのポジションに示される。図３に示される例では、シンクバイトのエンドは、５８．５の位相カウント３１と一致する。このポジションの後の１６番目のバイト（すなわち、２５６ビット）において、位相カウント３１は、図３に示されるポイント３６における１２８．５（すなわち、５８．５＋２５６−１８６）に等しい。従って、所望のリンクポジション３５は、１２８．５の位相カウント値に一致し、位相カウントは、新たな記録をスタートするため現在ポジションをより正確に決定するのに利用可能である。
【００３９】
ＥＣＣブロックＮの新たな記録のためのスタートアドレスは、セクタＸ、フレーム０、バイトＹ、ビットＺ、位相カウント１２８として表すことが可能である。ここで、セクタ、フレーム、バイト及びビットの各値は、先の記録からのＨＦデータドレスに基づき決定され、粗いポジショニングを表す。バイト値Ｙとビット値Ｚは可変とされてもよい。図３に示される例では、Ｙの値は、所望のリンクポジション３５の１ウォブル期間内（すなわち、図３に示される範囲３７の範囲内）に粗いポジションを生じさせるため、好ましくは、５から１５までの範囲内とされる。この範囲の中間となるようＹの値を選択することが好ましい。
【００４０】
図４は、記録を追加するためのスタートポジションを決定するための記録装置の回路のブロック図を示す。記録装置はディスク４０をスキャンし、検出読み取り回路４１は、先に記録されたＨＦデータからビットストリーム４２を生成する。ビットストリーム４２は、ＨＦビット検出回路４３に入力され、その後、ＥＦＭ＋復調回路４４に入力される。ＥＦＭ＋復調回路４４は、ＨＦデータを復調し、フレーム内のバイト及びビットポジションと現在のフレームナンバーをアドレス比較回路４８に出力する。ＰＩフレームデコーダ４５は、復調されたＨＦデータから物理セクタナンバーを抽出し、現在のセクタナンバーをアドレス比較回路４８に出力する。ウォブル位相同期ループ４６は、検出読み取り回路４１からプレグルーブのウォブルを表すプッシュ／プル信号を受信し、位相カウント信号４７をアドレス比較回路４８に出力する。アドレス比較回路４８は、一緒になって記録装置の放射ビームの現在のポジションを記述する現在のセクタナンバー、フレームナンバー、フレーム内のバイト及びビットポジション、並びに現在の位相カウント信号を受け取る。回路４８は、現在のポジションと所望のリンクポジションとを比較し、それが一致するとき、回路４８は、新たな記録のスタートをトリガーするため信号４９を出力する。図４に示される回路は、単なる例示であり、異なる構成により、ハードウェア、ファームウェア若しくはソフトウェア若しくは組み合わせを利用して、また当該技術に周知な技術を利用して実現されてもよい。
【００４１】
上記記載は、リンクポジションが先の記録において配置されたアドレス情報に少なくとも部分的に基づき決定される新たな記録をディスクに追加することに関するものである。新たな記録がブランクディスク又は以前に記録されたデータを有しないディスクのブランク部分になされるとき、先の記録を有することに依拠しないスタートポジションを決定する方法を利用することが依然として必要である。このような記録は、例えば、新たな記録のためのスタートポジションを決定するため、プレグルーブのＬＰＰ情報のみに依拠するようにしてもよい。図５は、未知のディスクへの新たな記録を行う方法の一例を示すフローチャートである。
【００４２】
一実施例では、図５ａに示されるシーケンスは、新たな記録がディスクに行われる毎に実行される。当該プロセスは、何れのディスクタイプが記録装置に挿入されたか決定するディスクフォーマット認識機能５０（ＦＲＭＴ）から開始される。ディスクがＤＶＤ−Ｒフォーマットディスクでない場合、ステップ５２（ＤＶＤ−ＲＷ？）において、ディスクがＤＶＤ−ＲＷフォーマットディスクであるか判断される。ディスクがＤＶＤ−Ｒディスク及びＤＶＤ−ＲＷディスクでない場合、ステップ５８において（ＯＴＨＲ）、ディスクタイプに固有のリンク方法が選択される。ディスクがＤＶＤ−ＲＷ及びＤＶＤ−Ｒフォーマットディスクでない場合、当該方法はスキャン機能５２（ＳＣＮ）に移行する。スキャン機能５２（ＳＣＮ）は、新たな記録のための所望のスタートポジションにおいて記録されたＨＦ（ユーザ）データの有無についてディスクをスキャンする。新たな記録のための所望のスタートポジションの前にあるスキャン期間Ｚのディスクのエリアが、記録装置によってスキャン（リードバック）され、ディスクに記録されたＨＦデータの有無と、ＨＦデータが当該エリアに記録される位置とが決定される。ＨＦデータの有無は、例えば、リード信号の振幅を測定することによって、各種方法により検出可能である。
【００４３】
スキャン機能の出力に基づく判定機能５３（ＳＥＬ）は、ＨＦリンク方法（先に記録されたＨＦデータのアドレス情報に少なくとも部分的に基づきリンクポジションを決定する）を介し、又はＬＰＰリンク方法（プレグルーブのＬＰＰのみに基づきリンクポジションを決定する）を介し、新たな記録を位置決定することを選択する。先に記録されたＨＦデータが検出された場合、ステップ５５において（ＰＯＳ１）、ＨＦリンク方法が実行され、検出されなかった場合、ステップ５７において（ＰＯＳ２）、デフォルトのＬＰＰリンク方法が実行される。
【００４４】
効果的な実施例では、図５ｂに示される方法の各ステップは、新たな記録がディスクが行われる毎に実行される。ここでは、隣接する先に記録されたユーザ（ＨＦ）データを含む記録された各ディスクエリアのスタート及びエンドアドレスを有する記録テーブルが、ドライブのメモリに維持される。本方法は、何れのタイプのディスクが記録装置に挿入されたか決定するディスクフォーマット認識機能（ＦＲＭＴ）５０から開始される。ディスクがＤＶＤ−Ｒディスクでない場合、ステップ５６において（ＤＶＤ−ＲＷ？）、ディスクがＤＶＤ−ＲＷディスクであるかチェックする。ディスクがＤＶＤ−Ｒディスク及びＤＶＤ−ＲＷディスクでない場合、ステップ５８において（ＯＴＨＲ）、ディスクタイプに固有のリンク方法が選択される。ディスクがＤＶＤ−Ｒディスク又はＤＶＤ−ＲＷディスクである場合、本方法は、アドレス検証機能５９（ＡＤＤＲ）に移行する。アドレス検証機能５９は、新たな記録の所望のスタート及びエンドポジションを決定し、所望のスタートポジションが記録されている記録テーブルに格納されているエントリのエンドアドレスの何れかに一致するか、又は所望のエンドポジションが記録されている記録テーブルに格納されているエントリのスタートアドレスの何れかに一致するか検証する。本方法は、判定ステム６０（ＶＥＲ）に移行する。上記２つの検証の何れかに一致が検出された場合、本方法は、新たな記録がＨＦリンク方法を介し位置決定され、記録されている記録テーブルが更新されるポジショニングステップ５５（ＰＯＳ２）に移行する。判定ステップ６０（ＶＥＲ）に戻って、２つの検証に一致が検出されない場合、本方法は、新たな記録の所望のスタートポジションの直前の又は所望のエンドポジションの直後の先に記録されたユーザデータの有無についてディスクをチェックするスキャン機能５２（ＳＣＮ）に移行する。スキャン機能の出力に基づく判定機能５４（ＳＥＬ）は、ポジショニング方法を選択する。ＨＦリンク方法（ＰＯＳ１）は、ステップ５５において、先に記録されたユーザデータが検出された場合、記録された記録テーブルの更新に続き、又はステップ５７において、ＬＰＰリンク方法が、記録された記録テーブルの更新に続く。
【００４５】
ＤＶＤ−ＲタイプディスクよりＤＶＤ−ＲＷタイプディスクについてより確実に、記録されたディスクからＬＰＰアドレス情報が読み取り可能である。従って、ＤＶＤ−ＲＷディスクについて、図５ａ又は５ｂの方法は、ＬＰＰリンク方法のみを使用するか、又はＨＦリンク方法を使用することを試みるかユーザが判断する手段を提供する。この選択は、例えば、記録装置に“好ましいＨＦリンク”フラグを設定するか設定しないかによって行うことが可能である。フラグがオフに設定されている場合であって、その後、判定ステップ５６（ＤＶＤ−ＲＷ？）において、ＤＶＤ−ＲＷディスクが検出された場合、本方法は、ＬＰＰ方法（ＰＯＳ１）によるステップ５７のポジショニングに移行する。
【００４６】
好ましくは、ＨＦリンク方法が使用されるべきか選択するため、２つの基準が選択ステップ５４（ＳＥＬ）において使用される。すなわち、ＨＦデータの最小期間Ｘが、新たな記録のための所望のスタートポジション前に存在すべきであり、所望のスタートポジションとＨＦデータ（最小期間Ｘ）のエンドとの間の距離が、期間Ｙより小さくされるべきである。ＨＦデータが所望のスタートポジションの後に存在することを示すＹが負である場合、Ｙはゼロとみなされる。請求項１７及び１８に請求され、図５ｂに記載される方法について、ＨＦデータが所望のエンドアドレスの直後にあるか判断するのに、ＨＦデータの最小期間Ｘが新たな記録の所望のエンドポジションの後に存在すべきであり、所望のエンドポジションとＨＦデータ（最小期間Ｘの）のスタートとの間の距離は、期間Ｙより小さくなるべきである。ＨＦデータが所望のスタートポジションの前に存在することを示すＹが負となる場合、Ｙはゼロとみなされる。
【００４７】
期間Ｘは、好ましくは、ＨＦデータフライホイールがロックに移行するのに必要とされる最大時間として選択され、これにより、少なくともＸ長であるＨＦデータの期間は、ＨＦデータフライホイール機能が適切に機能することを可能にする。期間Ｙは、好ましくは、ＬＰＰデータフライホイールがロックに移行するのに必要とされる最大時間未満となるよう選択される。トータルのスキャン期間Ｚは、好ましくは、図６に概略的に示されるように、期間ＸとＹの合計より大きくなる。図６において、ディスク上の所望のスタートポジション６１は、ブランク部分６２、ＨＦデータを含む記録された部分６３及び他のブランク部分６４に後続する。上記基準によると、記録された部分６３が期間Ｘより大きく、ブランク部分６４が期間Ｙより小さい場合、ＨＦリンク方法が使用されるべきである。さらに、スキャン期間６５は、合成された期間６３及び６４より大きくなるべきである。
【００４８】
図７は、隣接する先に記録されたユーザデータを有する記録されたディスクエリアのスタート及びエンドアドレスを含む記録されている記録テーブルを更新するための方法の概略図を表す。ディスク（ＲＥＣ）７０への新たな記録を行うステップが終了した後、本方法は、新たな記録のスタートアドレスが記録テーブルのエントリのエンドアドレスの何れかに一致するかチェックする第１チェック機能７１（ＣＨＫ１）に移行する。一致が検出されない場合、新たな記録のエンドアドレスが記録テーブルのエントリのスタートアドレスの何れかに一致するかチェックする第２チェック機能７３（ＣＨＫ２）が実行される。これは、第２判定機能７４（ＤＥＣ２）に続く。一致が検出されない場合、それは新たな記録がエンプティディスクエリアに書き込みされたことを意味し、更新ステップ７５（ＡＤＤ）において、新たな記録のスタート及びエンドアドレスが記録された記録テーブルの新たなエントリとして追加される。第２判定ステップ７４（ＤＥＣ２）において、一致が検出された場合、そのことは、新たな記録が先に記録されたエリアの直前に追加されることを意味し、更新ステップ７６において（ＲＥＰ１）、記録テーブルの一致するエントリのスタートアドレスが、新たな記録のスタートアドレスに置換される。第１の判定７２（ＤＥＣ１）に戻って、一致が検出されない場合、新たな記録のエンドアドレスが記録テーブルのエントリのスタートアドレスの何れかに一致しているかチェックする第２チェック機能７３ａ（ＣＨＫ２）が実行される。これは、第２判定機能７４ａ（ＤＥＣ２）に続く。ステップ７４ａに一致が検出されなかった場合、そのことは、新たな記録が先に記録されたエリアの直後に追加されることを意味し、更新ステップ７８（ＲＥＰ２）において、記録テーブルの一致するエントリのエンドアドレスが、新たな記録のエンドアドレスに置換される。ステップ７４ａ（ＤＥＣ２）における判定において、一致が検出された場合、そのことは、新たな記録が先に書き込みされた２つのエリアを含む１つの隣接する涼気を生成することを意味し、更新ステップ７８（ＲＥＰ３）が実行される。更新ステップ７８（ＲＥＰ３）において、両方の一致エントリが以下のように偏光される。すなわち、第２の一致エントリ（新たな記録のエンドアドレスに一致するスタートアドレスを有する）が削除され、第１の一致するエントリ（新たな記録のスタートアドレスに一致するエンドアドレスを有する）のエンドアドレスが、第２エントリのエンドアドレスに置換される。
【００４９】
本発明は、何れかのＤＶＤ−Ｒ又はＤＶＤ−ＲＷ光レコーダに適用可能であり、また、データ、音声、映像又は他のタイプの情報を記録する他のタイプのレコーダに適用されるかもしれない。本発明は、新たな記録を追加するとき、先に記録されたディスクのエリアのＬＰＰアドレス情報を読み込むことに依拠することを不要にする。これは、ＬＰＰ情報でなく先に記録されたＨＦデータに新たな記録のスタートポジションを基づかせることによって、ディスクの記録された部分からＬＰＰ情報を読み込む際の信頼性の問題を回避する。新たなＨＦデータの記録とプレグルーブとの間の正確な関係はさらに、プレグルーブポジション情報と共に先に記録されたＨＦデータを利用することによって、保証することが可能である。先に記録されたＨＦデータのポジショニングのエラーは、好ましくは、このためにプレグルーブウォブルの位相を利用して、プレグルーブに対して新たな記録のためのスタートポジションを設定することによって削除することが可能である。これは、各新たな記録によるエラーの蓄積を回避する。
【００５０】
本文献では、“有する”という単語は、列記された以外の要素又はステップの存在を排除するものでなく、要素に先行する“ある”という単語は、当該要素が複数存在することを排除するものでなく、何れの参照番号も請求項の範囲を限定するものでなく、本発明が、ハードウェアとソフトウェアの両方により実現可能であり、いくつかの“手段”又は“ユニット”が同一のハードウェア又はソフトウェアアイテムにより表されることに留意されたい。さらに、本発明の範囲は、実施例に限定されるものでなく、本発明は、各新規な特徴又は上述した特徴の組み合わせによるものである。
【図面の簡単な説明】
【００５１】
【図１】図１は、ＨＦデータから生成されるフライホイールアドレスの概略図である。
【図２】図２は、プレグルーブウォブルに関してＨＦデータのフレームシンクバイトとランドプレピットの相対ポジションを示す概略図である。
【図３】図３は、記録を追加するためのスタートポジションを決定するプレグルーブウォブルの位相を使用する方法を示す概略図である。
【図４】図４は、記録を追加するためのスタートポジションを決定する記録装置の回路のブロック図である。
【図５】図５ａ及び５ｂは、ここに開示される２つの実施例を特徴付ける新たな記録を位置決定する方法を選択するための２つのフローチャートである。
【図６】図６は、新たな記録のための所望のスタートポジションに先行するディスクの部分の概略図である。
【図７】図７は、隣接する先に書き込みされたユーザデータを有する記録されたディスクエリアのスタート及びエンドアドレスに関する記録された情報を更新する方法を示す概略図である。
【図１】
2008524768.tif 000003
【図２】
2008524768.tif 000004
【図３】
2008524768.tif 000005
【図４】
2008524768.tif 000006
【図５ａ】
2008524768.tif 000007
【図５ｂ】
2008524768.tif 000008
【図６】
2008524768.tif 000009
【図７】
2008524768.tif 000010
【国際調査報告】
2008524768.tif 000011
2008524768.tif 000012
2008524768.tif 000013
2008524768.tif 000014
2008524768.tif 000015